(57)【特許請求の範囲】
【請求項１】
背負い枠（１）の上部に給水タンク（２）を配置し、該背負い枠（１）上の給水タンク（２）の下部に、バッテリー（３）とモーター（４）と水圧送用のポンプ（５）を配置し、該モーター（４）はバッテリー（３）により駆動し、前記ポンプ（５）を前記モーター（４）により駆動し、前記ポンプ（５）の吸込口はホースを介して給水タンク（２）と連通し、該ポンプ（５）下部に熱交換機（２４）を配置し、該ポンプ（５）の吐出口を、該熱交換機（２４）に接続し、該熱交換機（２４）は噴霧ホース（１４）を介して噴霧竿（１５）に連通し、該熱交換機（２４）の下部に加熱機器（２５）を配置し、該加熱機器（２５）は、燃料にカセットガスボンベ（２６）を使用するバーナーとし、前記給水タンク（２）に貯留した水をポンプ（５）により熱交換機（２４）に吐出し、該熱交換機（２４）と加熱機器（２５）により熱湯に変換し、該熱湯を雑草等に噴射して、除草作業を行うことを特徴とする熱湯噴霧除草用の背負い式動力噴霧機。
【請求項２】
請求項１記載の熱湯噴霧除草用の背負い式動力噴霧機において、前記噴霧竿（１５）には、前記モーター作動・停止のスイッチ（３０）と、吐出圧を設定する圧力切換スイッチ（３１）を設け、該モーター作動・停止のスイッチ（３０）と圧力切換スイッチ（３１）は、前記噴霧竿（１５）に設けた送信機（２１）に接続し、該スイッチ（３０・３１）の操作に基づく信号を、該送信機（２１）から、背負い枠（１）の側の受信機（６）に送信し、該受信機（６）の制御回路（１１）により、モーター（４）の作動・停止と、前記ポンプ（５）の吐出圧を設定する圧力設定バルブ（１３）のアクチュエーター（４０）を制御すべく構成したことを特徴とする熱湯噴霧除草用の背負い式動力噴霧機。
【発明の詳細な説明】
【０００１】
【発明の属する技術分野】
本発明は、熱湯を吐出噴霧して除草を行う、背負い式動力噴霧機の技術に関する。
【０００２】
【従来の技術】
従来から背負い式の動力噴霧機を用いて噴霧作業は行われており、該動力噴霧機は背負い枠上にモーターまたはエンジン、ポンプ、バッテリーまたは燃料タンク、及び薬液タンクを配置し、前記モーターまたはエンジンの出力軸に薬液圧送用のポンプの駆動軸を連結し、該ポンプの吸入口は薬液タンクに連通し、ポンプの吐出口には噴霧ホース等を介して噴霧竿のノズルに連通していた。このような構造の動力噴霧機において、薬液タンクに蓄えられた薬剤を噴霧して、除草作業を行っていたのである。
【０００３】
【発明が解決しようとする課題】
しかし、従来の除草剤を吐出噴霧させるという方法では、薬害のおそれがあるため、除草剤の濃度管理が必要であり、家畜などの動物の近くでは作業し難くかった。また、従来の背負い式動力噴霧機は、本体部に圧力切り替え部があるため、本体を背負ってからでは圧力を切り替えることができず、圧力切り替えたい場合には、本体を降ろしてから操作しなければならず、操作が面倒となっていた。
【０００４】
【課題を解決するための手段】
本発明の解決しようとする課題は以上の如くであり、次にこの課題を解決するための手段を説明する。
【０００５】
請求項１においては、背負い枠（１）の上部に給水タンク（２）を配置し、該背負い枠（１）上の給水タンク（２）の下部に、バッテリー（３）とモーター（４）と水圧送用のポンプ（５）を配置し、該モーター（４）はバッテリー（３）により駆動し、前記ポンプ（５）を前記モーター（４）により駆動し、前記ポンプ（５）の吸込口はホース等を介して給水タンク（２）と連通し、該ポンプ（５）下部に熱交換機（２４）を配置し、該ポンプ（５）の吐出口を、該熱交換機（２４）に接続し、該熱交換機（２４）は噴霧ホース（１４）を介して噴霧竿（１５）に連通し、該熱交換機（２４）の下部に加熱機器（２５）を配置し、該加熱機器（２５）は、燃料にカセットガスボンベ（２６）を使用するバーナーとし、前記給水タンク（２）に貯留した水をポンプ（５）により熱交換機（２４）に吐出し、該熱交換機（２４）と加熱機器（２５）により熱湯に変換し、該熱湯を雑草等に噴射して、除草作業を行う熱湯噴霧除草用の背負い式動力噴霧機である。
【０００６】
請求項２においては、請求項１記載の熱湯噴霧除草用の背負い式動力噴霧機において、前記噴霧竿（１５）には、前記モーター作動・停止のスイッチ（３０）と、吐出圧を設定する圧力切換スイッチ（３１）を設け、該モーター作動・停止のスイッチ（３０）と圧力切換スイッチ（３１）は、前記噴霧竿（１５）に設けた送信機（２１）に接続し、該スイッチ（３０・３１）の操作に基づく信号を、該送信機（２１）から、背負い枠（１）の側の受信機（６）に送信し、該受信機（６）の制御回路（１１）により、モーター（４）の作動・停止と、前記ポンプ（５）の吐出圧を設定する圧力設定バルブ（１３）のアクチュエーター（４０）を制御すべく構成したものである。
【０００７】
【発明の実施の形態】
次に、発明の実施の形態を、電動噴霧機を実施例として説明する。図１は本発明の電動動力噴霧機の全体正面図、図２は本発明の制御ブロック図、図３はグリップの側面図である。
【０００８】
まず、本発明に係る背負い式電動動力噴霧機の全体構成について、図１を用いて説明する。本発明にかかる背負い式動力噴霧機は、合成樹脂等によって構成された枠体を構成する背負い枠１の上部に、給水タンク２が一体的に形成され、該給水タンク下部にバッテリー３とモーター４と水圧送用のポンプ５と受信機６が配置されている。該ポンプ５下部に熱交換機２４が配置されており、該熱交換機２４からパイプ７を介して噴霧ホース１４へと連通され、さらに該噴霧ホース１４から噴霧竿１５へと連通されている。９は受信機に接続されるアンテナ、１０は背負い枠１側面に配置するメインスイッチ、８は電圧表示器、１７はジャック接続部であり、該ジャック接続部１７にアダプター（ＡＣ／ＤＣ変換器）を介して１００Ｖ電源と接続して、バッテリー３を充電したり、バッテリー３が放電した時や長時間の作業等ではアダプターを接続したままモーター４を駆動できるようにしている。
【０００９】
前記ポンプ５の駆動軸はモーター４の出力軸に連結され、該モーター４は図２に示した制御回路１１と接続され、バッテリー３からの電力が制御回路１１に供給されてモーター４を駆動できるようにしている。該バッテリー３と制御回路１１との間にはメインスイッチ１０が介装され、制御回路１１には受信機６が接続されている。該制御回路１１によりモーター４の駆動・停止を制御できるようにしている。
【００１０】
前記ポンプ５の吸込口はホース等を介して給水タンク２と連通されており、ポンプの吐出口はホース１８を介して、熱交換機２４に接続されている。該熱交換機２４は、図１に示したように、熱交換パイプを巻いたり、或いは、ジグザグ状に重ねた形状となっており、下部に加熱機器２５が設けられている。水は、パイプを通過する際に、下部に設けられた加熱機器２５により熱を加えられることで、熱湯に変換されるのである。本実施例においては、燃料にカセットガスボンベ２６を使用するバーナーを加熱機器としている。カセットガスボンベ２６は軽量で持ち運びに適しており、入手が容易で、交換も簡単にできる。カセットガスボンベ２６の交換の際には、背負い式動力噴霧機に設けられたカセットガス交換口を開いて、カセットガスボンベ２６を取り出し、新しいカセットガスを取り付ける。本実施例においては、カセットガスボンベ２６を燃料として使用するバーナーを加熱機器２５とした熱交換機２４を使用したが、ガソリンや灯油等を燃料としたバーナーを使用することも可能である。また、水を熱湯にするようにしているが、蒸気として吐出するように構成することもできる。
【００１１】
熱交換機２４から取出口１２の間には圧力設定バルブ１３が介装され、該取出口１２は背負い枠１の側面に配設されて噴霧ホース１４と接続できるようにしている。前記圧力設定バルブ１３の二次側は余水ホース３３と接続され、該余水ホース３３の他端は給水タンク２に連通されている。よって、ポンプ５の吐出圧が設定圧を越えると、設定バルブ１３を介して余水ホース３３より給水タンク２に戻されるようにしている。前記圧力設定バルブ１３の設定圧を調節するアクチュエーター４０は、ソレノイド等より構成され、制御回路１１と接続されている。
【００１２】
さらに、前記噴霧ホース１４の他端は、噴霧竿１５のグリップ１６に接続され、該グリップ１６には、コック３４と連動されたモーター作動・停止のスイッチ３０と、圧力切換スイッチ３１が設けられている。スイッチ３０は押しボタン式の動力噴霧機のＯＮ・ＯＦＦ、つまり、モーター５の駆動・停止の操作を行い、スイッチ３１は摺動式として、前記アクチュエーター４０を作動・停止させて設定バルブ１３のバネ圧を変更してポンプ５の吐出圧力を調節するようにしている。
【００１３】
図２に示したように、スイッチ３０、３１は送信機２１に接続されており、スイッチ操作に基づいた制御信号が該送信機２１から受信機６に送信される。スイッチ３０とスイッチ３１の操作に基づいた制御信号が、送信機２１から受信機６に送信されて、該受信機６からの信号が制御回路１１に入力されて、制御回路１１によりモーター４とアクチュエーター４０を制御する構成となっている。但し、送信機２１と受信機６を用いることなく、導線により直接接続する構成とすることも可能である。しかし、導線を用いると絡まる可能性があり、ホースのジョイント部分で断線や接触不良等の不具合が発生する可能性が高くなる。また、制御回路１１に図示しないバーナー（加熱機器２５）の点火回路と接続して、バーナーのＯＮ／ＯＦＦをスイッチ３０と連動するように構成して、噴射作業時に点火して、作業終了時に消火する構成とすることもできる。
【００１４】
前記グリップ１６の先端には噴杆２２が連通されている。そして、該噴杆２２の先端にはノズル２３が配置され、該ノズル２３と噴杆２２との間には、水の液だれ防止ための逆止弁３７が配設されている。なお、噴霧ホース１４は、グリップ１６や取出口１２とは、ねじ込みや連結材等により着脱自在に接続されている。
【００１５】
そして、前記熱交換機２４、加熱機器２５、設定バルブ１３、パイプ７、噴霧ホース１４、噴霧竿１５等は耐熱性の部材で構成され、また、放熱して冷めにくいように断熱材により覆われ、火傷等が発生しないようにしている。
【００１６】
以上のように構成した本発明の背負い式電動動力噴霧機は、タンク２に貯留した水をポンプ５によって吸い込んで、熱交換機２４へ送水し、加熱して熱湯に変換し、この熱湯を雑草等に噴射することにより、除草作業を行うものである。なお、熱湯を霧状に噴霧すると水の温度が低下してしまうので、できるだけ液のまま振りかける。また、ノズル２３はできるだけ雑草に近づけ、噴出距離が長くなって冷めないようにする。こうして熱湯を雑草にかけることで枯らせるのである。従来、薬剤をタンクに蓄え、動力噴霧機によって薬剤を噴霧して除草作業を行う場合には、農作物や家畜などへの薬害の影響の心配があったが、本発明では薬剤を用いず熱湯を用いたため、安心して除草作業を行うことができるのである。また、グリップにモーター作動・停止のスイッチ３０と、圧力切換スイッチ３１を設けたので、手元で容易に動力噴霧機のＯＮ・ＯＦＦの切り替えと、ポンプの吐出圧力を調節することができるのである。
【００１７】
【発明の効果】
本発明は、以上のように構成したので、以下に示すような効果を奏する。
【００１８】
請求項１に示す如く、背負い枠（１）の上部に給水タンク（２）を配置し、該背負い枠（１）上の給水タンク（２）の下部に、バッテリー（３）とモーター（４）と水圧送用のポンプ（５）を配置し、該モーター（４）はバッテリー（３）により駆動し、前記ポンプ（５）を前記モーター（４）により駆動し、前記ポンプ（５）の吸込口はホース等を介して給水タンク（２）と連通し、該ポンプ（５）下部に熱交換機（２４）を配置し、該ポンプ（５）の吐出口を、該熱交換機（２４）に接続し、該熱交換機（２４）は噴霧ホース（１４）を介して噴霧竿（１５）に連通し、該熱交換機（２４）の下部に加熱機器（２５）を配置し、該加熱機器（２５）は、燃料にカセットガスボンベ（２６）を使用するバーナーとし、前記給水タンク（２）に貯留した水をポンプ（５）により熱交換機（２４）に吐出し、該熱交換機（２４）と加熱機器（２５）により熱湯に変換し、該熱湯を雑草等に噴射して、除草作業を行うので、従来、薬剤をタンクに蓄え、動力噴霧機によって薬剤を噴霧して除草作業を行う場合には、農作物や家畜などへの薬害の影響の心配があったが、本発明では水を熱交換機により熱湯に変換して薬剤を用いず熱湯を用いて雑草を枯らすため、安心して除草作業を行うことができるのである。
【００１９】
請求項２に示す如く、前記噴霧竿（１５）には、前記モーター作動・停止のスイッチ（３０）と、吐出圧を設定する圧力切換スイッチ（３１）を設け、該モーター作動・停止のスイッチ（３０）と圧力切換スイッチ（３１）は、前記噴霧竿（１５）に設けた送信機（２１）に接続し、該スイッチ（３０・３１）の操作に基づく信号を、該送信機（２１）から、背負い枠（１）の側の受信機（６）に送信し、該受信機（６）の制御回路（１１）により、モーター（４）の作動・停止と、前記ポンプ（５）の吐出圧を設定する圧力設定バルブ（１３）のアクチュエーター（４０）を制御すべく構成したので、手元で容易にＯＮ・ＯＦＦの切り替えと、吐出圧力の調節とを行うことができ、圧力設定のために噴霧本体を降ろして調整する必要がなくなるのである。
また、送信機（２１）と受信機（６）を用いたので、導線により直接接続する構成の場合のように、導線が絡まることが無くなり、ホースのジョイント部分で、導線が断線や接触不良等の不具合が発生する可能性が低くなるのである。
【図面の簡単な説明】
【図１】  本発明の動力噴霧機の全体正面図である。
【図２】  本発明の制御ブロック図である。
【図３】  グリップの側面図。
【符号の説明】
１  背負い枠
２  給水タンク
３  バッテリー
４  モーター
５  ポンプ
６  受信機
１１  制御回路
１３  圧力設定バルブ
１４  噴霧ホース
１５  噴霧竿
１６  グリップ
２１  送信機
２４  熱交換機
２５  加熱機器
３０  スイッチ
３１  スイッチ
３８  送信制御回路
【図１】
0003974382.tif 000002
【図２】
0003974382.tif 000003
【図３】
0003974382.tif 000004